(57)【特許請求の範囲】
【請求項１】
上面中央部に取り付け首部を有し傘布に付着した水滴を捕捉収容する球形状の容器を備え、この容器の上部外周面の下側外周面を肉厚部となし，その肉厚部の上部内周面を容器の内側に向かって下方に傾斜する傾斜面となして，この傾斜面と容器の上部外周面との間の空間部を傘布に付着した水滴の落下を受けて捕捉する環状凹溝となし、この環状凹溝に接続してその凹溝内の水滴を容器内に導入するとともに容器内の空気を排出する配管を容器内にそのほぼ中心付近にまで突出して配設せしめてなり、前記取り付け首部を介して傘の中棒突出先端部外周面に取り付けて使用することを特徴とする傘の水滴捕捉用具。
【請求項２】
上面中央部に取り付け首部を有し傘布に付着した水滴の落下を捕捉収容する球形状の容器を備え、この球形状の容器を、水滴を収容する半球形状の容器本体部と，その上面開口部を閉塞し中央部に前記取り付け首部を有する半球形状の蓋部とに分割形成し、容器本体部の上部内周面に蓋部を嵌合結合し支持せしめて球形状の収容容器となすべく，容器本体部の上部にそのやや上方に延出し下側内周面に沿って蓋受部材を突出して設けられた円筒形筒体部の内周面に蓋部を嵌合結合し蓋受部材にて支持せしめるとともに、容器本体部の上部における前記円筒形筒体部内周面と半球形状の蓋部外周面との間にできる空間部を傘布に付着した水滴の落下を受ける環状凹溝となし、この環状凹溝に接続してその凹溝内の水滴を容器内に導入するとともに容器内の空気を排出する配管を容器内にそのほぼ中心付近にまで突出して配設せしめてなり、前記取り付け首部を介して傘の中棒突出先端部外周面に取り付けて使用することを特徴とする傘の水滴捕捉用具。
【請求項３】
環状凹溝内の水滴を容器内に導入し容器内の空気を排出する配管として、単一の配管を用いたことを特徴とする請求項１又は請求項2記載の傘の水滴捕捉用具。
【請求項４】
環状凹溝内の水滴を容器内に導入し容器内の空気を排出する配管として、同一配管内に水滴導入孔と排気孔を区画して設けたものを用いたことを特徴とする請求項１又は請求項2記載の傘の水滴捕捉用具。
【請求項５】
環状凹溝内の水滴を容器内に導入し容器内の空気を排出する配管として、水滴導入配管と排気配管を分離して設けたものを用いたことを特徴とする請求項１又は請求項2記載の傘の水滴捕捉用具。
【請求項６】
傘の中棒突出先端部外周面に、請求項１，請求項２,請求項３,請求項４又は請求項５記載に係る傘の水滴捕捉用具を取り付けたことを特徴とする傘。
【発明の詳細な説明】
【０００１】
【発明が属する技術分野】
本発明は、雨に濡れた傘を閉じ石突側を下にして立てれば傘布に付着した水滴が自然と的確に石突側先端部に取り付けた収容容器内に捕捉収容されて，その水滴が床面等に落下して周囲を汚損することが防止され、その汚損防止のために面倒なビニール袋等の取り付けや大掛かりなその取り付け器具の使用を不要となすことができる傘の水滴捕捉用具とそれを用いた傘に関するものである。
【０００２】
【従来の技術】
従来において、雨に濡れた傘に付着した水滴が車内や店舗の床面等に落下してその周囲を汚損するのを防止するために、閉じた傘をビニール袋等にて包む、またそのビニール袋等の取り付けを器具の使用により行うことが一般的になされていた。
【０００３】
【発明が解決しようとする課題】
しかし斯かる場合には、雨に濡れた傘を閉じてビニール袋等内に挿入する手間が比較的面倒で，その挿入時に手が濡れる，それを防ぐために挿入器具を用いる場合にはその大掛かりな器具と設備を必要とする等の不都合があった。  また，傘布に付着した水滴がビニール袋等内に溜まり，ビニール袋等が破れて水滴が漏出するおそれが多分にあるという難点があった。
【０００４】
そこで本発明は、傘布に付着した水滴を捕捉する用具に簡潔にして格別な工夫を施し、雨に濡れた傘を閉じ単に石突側を下にして立てれば傘布に付着した水滴が自然と的確に石突側先端部に取り付けた収容容器内に捕捉収容されて，その水滴が床面等に落下して周囲を汚損することが確実に防止され、その汚損防止のために前記種々の難点を伴う従来のビニール袋やその取り付け器具の使用を不要となし、小型，安定性，耐久性，装飾性にも優れる傘の水滴捕捉用具およびそれを用いた傘を提供することを目的とする。
【０００５】
【課題を解決するための手段】
前記目的を達成するために本発明は、次の具体的手段を採っている。
即ち，第1の手段としては、上面中央部に取り付け首部を有し傘布に付着した水滴を捕捉収容する球形状の容器を備え、この容器の上部外周面の下側外周面を肉厚部となし，その肉厚部の上部内周面を容器の内側に向かって下方に傾斜する傾斜面となして，この傾斜面と容器の上部外周面との間の空間部を傘布に付着した水滴の落下を受けて捕捉する環状凹溝となし、この環状凹溝に接続してその凹溝内の水滴を容器内に導入するとともに容器内の空気を排出する配管を容器内にそのほぼ中心付近にまで突出して配設せしめてなり、前記取り付け首部を介して傘の中棒突出先端部外周面に取り付けて使用することを特徴とする。
第2の手段としては、上面中央部に取り付け首部を有し傘布に付着した水滴の落下を捕捉収容する球形状の容器を備え、この球形状の容器を、水滴を収容する半球形状の容器本体部と，その上面開口部を閉塞し中央部に前記取り付け首部を有する半球形状の蓋部とに分割形成し、容器本体部の上部内周面に蓋部を嵌合結合し支持せしめて球形状の収容容器となすべく，容器本体部の上部にそのやや上方に延出し下側内周面に沿って蓋受部材を突出して設けられた円筒形筒体部の内周面に蓋部を嵌合結合し蓋受部材にて支持せしめるとともに、容器本体部の上部における前記円筒形筒体部内周面と半球形状の蓋部外周面との間にできる空間部を傘布に付着した水滴の落下を受ける環状凹溝となし、この環状凹溝に接続してその凹溝内の水滴を容器内に導入するとともに容器内の空気を排出する配管を容器内にそのほぼ中心付近にまで突出して配設せしめてなり、前記取り付け首部を介して傘の中棒突出先端部外周面に取り付けて使用することを特徴とする。
いずれの場合も雨に濡れた傘を閉じ石突側を下にして立てると，傘布に付着した水滴が環状凹溝内に落下して受け止められる。  環状凹溝内の水滴は配管を介して容器内に導入され,その際収容容器内の残留空気が配管を通して外部へ排出されて水滴の導入は円滑になされる。
【０００６】
環状凹溝内の水滴を容器内に導入し且つ容器内の残留空気を外部へ排出する配管としては、単一の配管にて双方の機能を果たすもの,同一配管内に水滴導入孔と排気孔を区画して設けるもの,水滴導入配管と排気配管を別々に分離して配設するようになしたもの,いずれでも差し支えない。
【０００７】
水滴を収容する収容容器の形態は、前記のように水滴の収容容器本体部とその蓋部とを一体となしたもの或いはそれを分割したもののいずれでも差し支えなく、その形状は球形状もしくは半球形状のものを結合したものを用いる。
【０００８】
傘布に付着した水滴の落下を受け止める収容容器上部外面における環状凹溝の形成手段としては、上記のように水滴を収容する容器本体部とその上面を閉塞する蓋部とが一体となっているものにおいては、収容容器の上部外周面に沿って環状に形成する。
その際，容器の上部外周面よりその下側外周面の部分を肉厚部となし、この肉厚部の上部内周面を容器の内側に向かって下方に傾斜する傾斜面となして、その傾斜面と容器の上部外周面との間にできる空間部を環状凹溝となす。
【０００９】
また，水滴を収容する容器本体部とその上面を閉塞する蓋部とに容器を分割したものにおいては、上記のようにその容器本体部と蓋部とを嵌合結合させて球形状の収容容器となすべく、半球形状の容器本体部の上部にやや上方に延出して設けられた円筒形筒体部の内周面に蓋部を嵌合結合し蓋受部材にて支持せしめ、その容器本体部の上部における円筒形筒体部の内周面と半球形状の蓋部外周面との間にできる空間部を環状凹溝となす。
【００１０】
【発明の実施の形態】
別紙図面の図１〜図１０を参照して、本発明に係る実施の形態の一例について説明する。
【００１１】
図１は、本発明の第１実施形態に係る水滴捕捉用具を示す縦断正面図である。
この傘の水滴捕捉用具は、傘の石突側先端部従って傘の中棒突出先端部に取り付けて傘布に付着した水滴を収容する球形状の収容容器１を備えており、その収容容器１の上部外面に，前記の水滴を捕捉収容するための環状凹溝２とその凹溝内の水滴を収容容器1内に導入するとともに収容容器1内の空気を外部へ排出する配管３を備えている。  前記収容容器１の上面中央部には円筒状の取り付け首部４が突出して設けられており、収容容器１はこの取り付け首部の内周面に形成された雌ネジ部５を介して傘の中棒突出先端部外周面に付設されている雄ネジ部に嵌合接続して取り付けられる。
取り付け首部４の傘の中棒突出先端部に対する嵌合接続は、接着にて行う場合もある。
【００１２】
球形状の収容容器１は、その上部外周面６の下側外周面の部分が肉厚部７となっており、この肉厚部７の上部内周面が容器１の内側に向かって下方に傾斜する傾斜面８に切欠形成されていて、この傾斜面８と容器１の上部外周面６との間にできる空間部を傘の水滴を捕捉する環状凹溝２となしている。
【００１３】
収容容器１は前記の如く取り付け首部４を介して傘Ｋの中棒（シャフト）突出先端部に取り付けられており、図９のように雨に濡れた傘Ｋを閉じ石突側を下にして立てると、傘布が防水加工されているので傘布に付着した水滴はそれを伝わって下方に落下して環状凹溝２内に自然と的確に受け止め捕捉される。
【００１４】
配管３は、前記環状凹溝２に接続して配設されており、その先端部は収容容器１内のほぼ中心部付近まで延びている。  環状凹溝２内の水滴が配管３を介して収容容器1内に導入されると、その浸入圧力により収容容器1内の残留空気が配管３内の上方側空間部を通って外部に排出され、水滴の導入は円滑になされる。図中９は、収容容器１底面外部に付設された石突である。
【００１５】
図２は、本発明の第２実施形態に係る水滴捕捉用具を示す縦断正面図である。  この場合には、図示の如く、球形状の収容容器１１を，水滴を収容する半球形状の容器本体部１２と，その上面開口部を閉塞する半球形状の蓋部１３とに分割形成し、容器本体部１２の上部内周面に蓋部１３を嵌合結合し支持せしめて球形状の収容容器１１となすべく，容器本体部１２の上部にそのやや上方に延出し下側内周面に沿って蓋受部材１５を突出して設けられた円筒形筒体部１２ａの内周面に蓋部１３を嵌合結合し蓋受部材１５にて支持せしめるとともに、容器本体部１２の上部における前記円筒形筒体部１２ａ内周面と半球形状の蓋部１３の外周面との間にできる空間部を傘布に付着した水滴の落下を受ける環状凹溝１４となしたものである。
【００１６】
蓋部１３の上面中央部には円筒状の取り付け首部１７が突出して設けられており、収容容器１１はこの取り付け首部１７の内周面に形成された雌ネジ部１８を介して図１０の如く傘Ｋの中棒突出先端部外周面に付設されている雄ネジ部に嵌合接続して取り付けられる。  そして，図１０のように雨に濡れた傘Ｋを閉じ石突側を下にして立てると、傘布に付着した水滴はそれを伝わって下方に落下して環状凹溝１４内に自然と的確に受け止め捕捉される。
【００１７】
１６は、夫々上記第１実施形態におけると同様の水滴導入と排気を図る配管である。配管１６は、蓋部１３に固定配設されて一端部は環状凹溝１４に接続し、他端先端部は収容容器１１内のほぼ中心付近まで延びている。
１９は、容器本体部１２の底面外部に付設された石突である。
【００１８】
上記第１及び第２実施形態に係る水滴捕捉用具は、上記に説明したとおり傘Ｋの中棒（シャフト）の突出先端部に取り付け首部を介して嵌合接続により取り付けて用いる。  そして図９及び図１０のように、雨に濡れた傘Ｋを閉じ石突側を下にして立てると、傘布が防水加工を施されているので水滴は傘布を伝わって下方に落下して収容容器１，１１の上部外面に形成されている環状凹溝２，１４内に順次受け止め捕捉され、環状凹溝２，１４に接続配設されている配管３，１６を介して収容容器１，１１内に導入されて収容される。
その際，収容容器１，１１内の残留空気は水滴の導入に伴い配管３,１６内の上方空間部を介して外部に排出されるので、収容容器１，１１内への水滴の導入は円滑に行われる。
【００１９】
配管３，１６は収容容器１，１１内のほぼ中心付近まで延出されているので、収容容器内に水滴が充満されていない限り石突側をやや上にして傘Ｋを横に倒したとしても、容易に水滴が外部に漏出されるようなことはない。
収容容器内に水滴が満杯状態に収容された場合には、取り付け首部４，１７を介して収容容器を傘の中棒突出先端部から取り外し内部の水滴を除去する。
【００２０】
図3乃至図5は第3の実施形態に係る水滴捕捉用具を示すもので、図3は縦断正面図、図4はその正面図、図5はその平面図である。  この場合には、第1実施形態に係る配管３として、同一配管３内に水滴導入孔３ａと排気孔３ｂを区画して設けたものを用いたものである。  配管３は、環状凹溝２に接続して配設されており、その先端部は収容容器1内のほぼ中心付近まで延びている。  排気孔３ｂの環状凹溝２側端部は収容容器1の上方外部にまで適宜長さ突出され,そして図3及び図9の状態において排気孔３ｂは水滴導入孔３ａより上方の位置に設けられており、これにより環状凹溝2内の水滴が排気孔３ｂ内に浸入するのを確実に防止し従って水滴導入時に収容容器1内の残留空気が円滑に外部に排出されるようになしている。  更にその効果を助長するために、上方外部に突出させた排気孔３ｂの先端部を下方に屈曲せしめる場合もある。
【００２１】
図6乃至図8は第4の実施形態に係る水滴捕捉用具を示すもので、図6は縦断正面図、図7はその正面図、図8はその平面図である。  この場合には、第2実施形態に係る配管１６として、同一配管１６内に水滴導入孔１６ａと排気孔１６ｂを区画して設けたものを用いたものである。排気孔１６ｂの構造と機能は第3実施形態における排気孔３ｂと同様である。
【００２２】
上記の水滴導入と排気を図る配管３又は16としては、その双方の機能の一層の確実化を図るために、水滴導入配管と排気配管とに分離して配設せしめる場合もある。
【００２３】
【発明の効果】
本発明は上記の構成となしたので、以下に示す特有の効果を有する。
【００２４】
請求項１乃至６に係る発明においては、傘の中棒（シャフト）突出先端部（石突側外面）に収容容器等を備える水滴捕捉用具を取り付けて用いるので、単に雨に濡れた傘を閉じ石突側を下にして立てれば、傘布に付着した水滴は傘布を伝わって落下して球形状の収容容器上部外面にその外周面に沿って形成されている環状凹溝内に的確に受け止められ，それに接続されている配管若しくはその配管内の水滴導入孔若しくは水滴導入配管を介し収容容器内に自然と捕捉収容される。
その際配管内の上方空間部若しくは配管内の排気孔若しくは排気配管を通って収容容器内の残留空気が外部に排出され、収容容器内への水滴の導入が円滑確実になされる。  従って傘に付着した水滴の収容容器内への捕捉収容効率が良好である。水滴導入配管は球形状の収容容器内のほぼ中心付近まで延出されているので、収容容器内に水滴が充満されていない限り石突側をやや上にして傘を横に倒したとしても、水滴が容易に外部に漏出されるようなことはない。
そして、従来のような面倒なビニール袋等の着脱操作が不要でその着脱時における手が濡れる等の不都合や着脱のための付帯設備を必要とするという不都合やビニール袋が破れて水滴が漏出する等の不都合もなく、傘布に付着した水滴の周囲への落下や飛散を的確に防止することができる。
更に、傘布に付着した水滴の落下を受け止める部材として、水滴収容容器の上部外面に突条部ではなく環状凹溝を配設するようになしたので、水滴捕捉用具の全体構造をより単純，シンプルなものとなし簡潔，小型，耐久性及び装飾性にも富むものとなすことができ、製造並びに使用上好適である。
【００２５】
請求項１に係る発明においては、傘布に付着した水滴の落下を受け止める球形状の収容容器上部外面における環状凹溝の形成手段として、容器の上部外周面を肉厚部となし，この肉厚部の上部内周面を容器の内側に向かって下方に傾斜する傾斜面となして，その傾斜面と容器の上部外周面との間にできる空間部を環状凹溝となしたものであるから、その形成を一層簡単，容易に行うことができ、且つ、水滴の捕捉効率も一層良好なものとなすことができる。
【００２６】
請求項２に係る発明においては、前記の環状凹溝の形成手段として、球形状の水滴収容容器を、水滴を収容する半球形状の容器本体部とその上面開口部を閉塞する半球形状の蓋部とに分割形成し，容器本体部の上部内周面に蓋部を嵌合結合し支持せしめて球形状の収容容器となすべく，容器本体部の上部にそのやや上方に延出し下側内周面に沿って蓋受部材を突出して設けられた円筒形筒体部の内周面に蓋部を嵌合結合し蓋受部材にて支持せしめるとともに、その円筒形筒体部内周面と半球形状の蓋部外周面との間にできる空間部を環状凹溝となしたものであるから、やはり前項と同様に水滴の落下を受け止める環状凹溝の形成を簡単，容易に行うことができ、且つ、水滴の捕捉効率にも一層優れるものである。
【図面の簡単な説明】
【図１】  本発明の第１実施形態に係る水滴捕捉用具の縦断面図である。
【図２】  本発明の第２実施形態に係る水滴捕捉用具の縦断面図である。
【図３】  本発明の第３実施形態に係る水滴捕捉用具の縦断面図である。
【図４】  図３の正面図である。
【図５】  図３の平面図である。
【図６】  本発明の第４実施形態に係る水滴捕捉用具の縦断面図である。
【図７】  図６の正面図である。
【図８】  図６の平面図である。
【図９】  図1の水滴捕捉用具を付けた傘の説明図である。
【図１０】  図2の水滴捕捉用具を付けた傘の説明図である。
【符号の説明】
１      水滴収容容器
２      環状凹溝
３      水滴導入と排気を図る配管
４      取り付け首部
５      雌ネジ部
６      収容容器の上部外周面
７      収容容器下側外周面の肉厚部
８      傾斜面
９      石突
１１      水滴収容容器
１２      容器本体部
１２ａ    円筒形筒体部
１３      蓋部
１４      環状凹溝
１５      蓋受け部材
１６      水滴導入と排気を図る配管
１７      取り付け首部
１８      雌ネジ部
１９      石突
３ａ      水滴導入孔
３ｂ      排気孔
１６ａ    水滴導入孔
１６ｂ    排気孔
【図１】
0003656189.tif 000002
【図２】
0003656189.tif 000003
【図３】
0003656189.tif 000004
【図４】
0003656189.tif 000005
【図５】
0003656189.tif 000006
【図６】
0003656189.tif 000007
【図７】
0003656189.tif 000008
【図８】
0003656189.tif 000009
【図９】
0003656189.tif 000010
【図１０】
0003656189.tif 000011